(57)【特許請求の範囲】
【請求項１】
平面視矩形状の底板の長手両辺と短手両辺に長手側板と短手側板がそれぞれヒンジ結合されているとともに、前記底板の長手両辺に沿って長手側板の下端部が載る支持部が突設され、両支持部の間の底板上に短手側板と長手側板が内折れして折り畳まれるように構成された折り畳みコンテナにおいて、
前記支持部は、その両側を内壁と上面壁と下面壁と縦壁とからなるリブ構造部、両リブ構造の間を内壁と上面壁と外壁とからなる二重構造部とし、且つ二重構造部の上面壁をリブ構造部の上面壁よりも小幅に設けて二重構造部の外壁がリブ構造部の端面よりもコンテナ内方へ凹んだ配置となるように形成されており、前記二重構造部の外壁表面を印刷・ラベル貼付け用領域とした構成を有することを特徴とする折り畳みコンテナ。
【請求項２】
二重構造部の外壁の上端近傍と下端近傍に、前記外壁の表面から、当該外壁の上端近傍と下端近傍の間の部分の厚みより小さく且つリブ構造部の外側端面よりも外方へ突出しない幅で突出した、断面半円形の凸部を筋状に連続させてなる印刷・ラベル貼付け用領域保護用の水平リブを設けた構成を有することを特徴とする請求項１に記載の折り畳みコンテナ。
【発明の詳細な説明】
【技術分野】
【０００１】
本発明は、底板の四側辺に長手側板と短手側板とがヒンジ結合され、各側板を起立させて上部が開口した箱形に組み立てられ、各側板を内折れさせて底板上に折り重ねることにより小さく折り畳むことのできる合成樹脂製のコンテナに係り、長手側板を支持する底板の長手辺側面部に印刷・ラベル貼付け用領域を設けた構造のものに関する。
【背景技術】
【０００２】
長手側板を支持する底板の長手辺側面部に印刷・ラベル貼付け用領域を設けた折り畳みコンテナとして、図５に示される構成のものが知られている（例えば特許文献１参照）。
【０００３】
図示されるように、このコンテナ１００は、長手両辺に沿って支持部１０２、１０２が突設された平面視矩形状を呈する底板１０１の四側辺に、長手側板１０３、１０３と短手側板１０４、１０４がそれぞれヒンジ結合され、長手側板１０３、１０３をその下端部を前記支持部１０２の上面に、また、短手側板１０４、１０４を底板１０１の短手辺縁部上面にそれぞれ載せて各側板を起立させるにことにより箱形に組み立てられ、組み立てた状態から先ず短手側板１０３、１０３を底板１０１上に倒し、次いで長手側板１０２、１０２を倒して短手側板１０３、１０３上に折り重ねることにより小さく折り畳めるように構成されている。
【０００４】
そして、前記底板１０１の長手両辺に設けられた支持部１０２、１０２は、図６に示されるように、底板１０１の縁辺部から上方へ略直角に折れた内壁１０２ａと内壁１０２ａの上端部で外方へ略水平に折れた上面壁１０２ｂと、上面壁１０２ｂの先端で下方へ略垂直に折り返された外壁１０２ｃとで、底板１０１の長手辺に沿って内壁１０２ａと外壁１０２ｃを平行に配置した二重構造部として形成されており、この二重構造部の外壁１０２ｃの表面に帯状に凹んだ凹部１０２ｄが設けられ、この凹部１０２ｄ内にコンテナ１００に収納される物品やその移送先などを特定し識別するためのカードやラベルを貼付けることができるようになっている。
【先行技術文献】
【特許文献】
【０００５】
【特許文献１】特開平２００１−１２２２５２号公報
【発明の開示】
【発明が解決しようとする課題】
【０００６】
図示した従来のコンテナ１００は、折り畳んだ状態でも前記外壁１０２ｃの凹部１０２ｄに貼付けた識別カードやラベルを読み取ることができる利点を奏するものの、凹部１０２ｄは外壁１０２ｃの肉厚を部分的に薄くして設けたものであり、外壁１０２ｃの板厚分布が不均一なため成形金型内で溶融樹脂の流れが悪くなることは避けられず、ひけや反りなどの変形を来し易く、成形安定性に劣るという実用上の問題があった。
【０００７】
本発明は従来技術の有するこのような問題点に鑑み、成形安定性が良好で、印刷・ラベル貼付け用領域に貼付けたカードやラベルが取り外れ難いように構成された折り畳みコンテナを得ることを課題とする。
【課題を解決するための手段】
【０００８】
前記課題を解決するため本発明は、平面視矩形状の底板の長手両辺と短手両辺に長手側板と短手側板がそれぞれヒンジ結合されているとともに、前記底板の長手両辺に沿って長手側板の下端部が載る支持部が突設され、両支持部の間の底板上に短手側板と長手側板が内折れして折り畳まれるように構成された折り畳みコンテナにおいて、
前記支持部は、その両側を内壁と上面壁と下面壁と縦壁とからなるリブ構造部、両リブ構造の間を内壁と上面壁と外壁とからなる二重構造部とし、且つ二重構造部の上面壁をリブ構造部の上面壁よりも小幅に設けて二重構造部の外壁がリブ構造部の端面よりもコンテナ内方へ凹んだ配置となるように形成されており、前記二重構造部の外壁表面を印刷・ラベル貼付け用領域とした構成を有することを特徴とする。
【０００９】
前記構成の折り畳みコンテナにおいて、二重構造部の外壁の上端近傍と下端近傍に、記外壁の表面から、当該外壁の上端近傍と下端近傍の間の部分の厚みより小さく且つリブ構造部の外側端面よりも外方へ突出しない幅で突出した、断面半円形の凸部を筋状に連続させてなる印刷・ラベル貼付け用領域保護用の水平リブを設けることが好ましい。
【００１０】
本発明の折り畳みコンテナによれば、前記支持部に設けられた二重構造部は、恰も前記支持部の両側のリブ構造部を残して支持部の外側先端部分に上方から落とし込みを形成した如く形状に設けられ、二重構造部の外壁が両側のリブ構造部の端面よりも内方へ凹み、外壁両端のリブ構造部との境界部分が外方へ突出した段差部となっているので、コンテナ同士を並べたときに互いのリブ構造部の端面同士が衝突することはあっても、隣接コンテナの底板側面が前記二重構造部の外壁に当接するようなことはなく、二重構造部の外壁表面に貼付けられたカードやラベルを保護して、コンテナ取り扱い中に前記カードやラベルが取り外れることを効果的に防止することができる。
前記両リブ構造部間に二重構造部が連ねてなる支持部は、全体を均一な肉厚で形成することができるので、成形金型内で溶融樹脂を安定して流動させて成形不良の発生率が極めて低く抑えられ、コンテナの成形安定性及び生産性を良好にすることができる。
また、前記二重構造部の外壁の上端近傍と下端近傍のどちらか一方に、又は両方に水平リブが設けてあれば、コンテナ同士を並べる際に前記二重構造部に向けて隣接コンテナの底板側面やコーナ部が斜め上方や下方からぶつかったとしても、前記水平リブが当接して前記印刷・ラベル貼付け用領域に接触することを防止し、二重構造部の外壁表面に貼付けられたカードやラベルをより効果的に保護することができる。また、前記水平リブを設けることで、二重構造部の外壁の中央部分を補強することができる。
【図面の簡単な説明】
【００１１】
【図１】本発明の一実施形態の折り畳みコンテナの組立状態（Ａ）と折り畳み状態（Ｂ）の外観図である。
【図２】図１のコンテナの長手側板側の正面図である。
【図３】図１のコンテナの底板の支持部の構成を示す要部破断拡大斜視図である。
【図４】図１のコンテナを組み立てた状態の底板の支持部と長手側板の要部拡大断面図である。
【図５】従来の折り畳みコンテナの組立状態（Ａ）と折り畳み状態（Ｂ）の外観図である。
【図６】図５のコンテナの底板の部分拡大断面図である。
【発明を実施するための形態】
【００１２】
本発明の好適な一実施形態を図面に基づいて説明する。
図１は本実施形態の折り畳みコンテナの組立状態と折り畳み状態の外観を示しており、同図に示されるように、このコンテナ１は、平面視矩形状を呈する底板２の長手両辺と短手両辺に、長手側板３、３と短手側板４、４が公知のヒンジ連結構造によって起倒自在に結合され、底板２上に起立させた各側板の下端部を底板２の上面周辺部で支持し、各側板を底板２上で垂直に保持して上部が開口した箱形に組み立てられ、組み立てた状態から先ず短手側板４、４を底板２上に倒し、次いで長手側板３、３を倒して短手側板４、４上に折り重ねることにより小さく折り畳めるように構成されている。
【００１３】
より詳しくは、底板２にはその長手両辺に沿って支持部５、５が突設されており、図４に示されるように、長手側板３、３を起立させたときにその下端部３１が支持部５の上面に載って支持され、また、長手側板３、３と短手側板４、４を内折れさせたときに各側板が両支持部５、５間の底板２上に折り重なるように構成されている。
【００１４】
両支持部５、５は、図２及び図３に示されるように、その左右両側にリブ構造部５Ａ、５Ａ、両リブ構造部５Ａ、５Ａの間に二重構造部５Ｂを一体に設けて形成されている。
【００１５】
リブ構造部５Ａは、底板２の縁辺部から上方へ略直角に折れた内壁５１と、内壁５１の上端部で外方へ略水平に折れた上面壁５２ａと、上面壁５２ａの下方で略水平に突出した下面壁５３と、上面壁５２ａと下面壁５３の間に架け渡した縦壁５４との各面壁を内壁５１の外面から一体に突設させた形状に設けてある。
また、二重構造部５Ｂは、底板２の縁辺部から上方へ略直角に折れた内壁５１と、内壁５１の上端部で外方へ略水平に折れた上面壁５２ｂと、上面壁５２ｂの先端で下方へ略垂直に折り返された外壁５５とで、底板２の長手辺に沿って内壁５１と外壁５５を平行に配置した形状に設けてある。
【００１６】
そして、図３に示されるように、二重構造部５Ｂにおける、内壁５１の上端からの上面壁５２ｂの外方への突出幅（ｂ）をリブ構造部５Ａの上面壁５２ａの突出幅（ａ）よりも小幅に設定し、恰も両側のリブ構造部５Ａ、５Ａを残して支持部５の外側先端部分に落とし込みを形成した如く形状に設けて、二重構造部５Ｂの外壁５５が両側のリブ構造部５Ａ、５Ａの外側端面よりも内方へ凹んだ配置になるとともに、外壁５５の両端のリブ構造部５Ａ、５Ａとの境界部分が外方へ突出した段差部５６、５６となるように形成してある。
また、図３に示されるように、二重構造部５Ｂの外壁５５の上端近傍と下端近傍には、断面半円形の凸部を筋状に連続させてなる水平リブ６、６を平行に突出させてある。図４に示されるように、水平リブ６、６は、外壁５５の上端近傍と下端近傍の間の部分の厚みより小さく、且つリブ構造部５Ａの外側端面よりも外方へ突出しない幅で、外壁５５の表面から突出させて形成してある。
【００１７】
このように構成された本形態のコンテナ１によれば、図４に示されるように、底板２の長手両辺で長手側板３を支持する支持部５、５の二重構造部５Ｂの外壁５５表面を印刷・ラベル貼付け用領域として利用し、外壁５５にコンテナ１に収納した物品やその移送先などを特定し識別するためのカードやラベルを貼付けることができる。
カードやラベルが貼付けられる二重構造部５Ｂの外壁５５は、その両側のリブ構造部５Ａ、５Ａの外側端面よりも内方へ凹み、外壁５５の両側のリブ構造部５Ａ、５Ａとの境界部分が外方へ突出した段差部５６、５６となっているので、コンテナ１、１同士を並べたときに互いのリブ構造部５Ａ、５Ａの端面同士が衝突することはあっても二重構造部５Ｂの外壁５５に当接するようなことはなく、さらに外壁５５の上端近傍と下端近傍とに水平リブ６、６を設けてあるので、隣接コンテナ１の支持部５や底板２のコーナ部が斜め上方や下方からぶつかってきても、水平リブ６、６が当接して二重構造部５Ｂの外壁５５の表面に接触するようなことはなく、外壁５５に貼付けられたカードやラベルを保護して、コンテナ取り扱い中にカードやラベルが取り外れることを防止することができる。
また、リブ構造部５Ａ、５Ａと二重構造部５Ｂにより構成された支持部５は、全体が均一な肉厚に形成することができるので、成形金型内で溶融樹脂を安定して流動させて成形不良の発生率が極めて低く抑えられ、コンテナ１の成形安定性及び生産性を良好にすることが可能である。
【００１８】
なお、図示したコンテナの形態は一例であり、本発明は他の適宜な形態で構成可能である。
【符号の説明】
【００１９】
１  コンテナ、２  底板、３  長手側板、４  短手側板、５  支持部、５Ａ  リブ構造部、５Ｂ  二重構造部、５１  内壁、５２ａ，５２ｂ  上面壁、５３  下面壁、５４  縦壁、５５  外壁、５６  段差部、６  水平リブ
【図１】
0005684639.tif 000002
【図２】
0005684639.tif 000003
【図３】
0005684639.tif 000004
【図４】
0005684639.tif 000005
【図５】
0005684639.tif 000006
【図６】
0005684639.tif 000007